(57)【特許請求の範囲】
【請求項１】
本体ケース（１）の外面の上端部に、固定刃（２５）および可動刃（２６）を備えたきわ剃り刃ユニット（６）が装着されており、
きわ剃り刃ユニット（６）は、上方の基端部が本体ケース（１）側に軸支されていて、先端の刃先部が下向きになって本体ケース（１）の外面に添う不使用姿勢と、刃先部が本体ケース（１）の外側に突出する使用姿勢とにわたって起伏揺動自在であり、
本体ケース（１）の外面には、きわ剃り刃ユニット（６）の下方にスライドノブ（７）が上下動自在に装着されており、
スライドノブ（７）を押し上げ操作することによってきわ剃り刃ユニット（６）が不使用姿勢から使用姿勢に切り換わり、スライドノブ（７）を押し下げ操作することによってきわ剃り刃ユニット（６）が使用姿勢から不使用姿勢に切り換わるようにした電気かみそりにおいて、
スライドノブ（７）の外面が、上下中間部位に設定した指当て部（７ａ）を介して上面部（７ｂ）と下面部（７ｃ）とに定義されており、
上面部（７ｂ）の少なくとも下端が、下面部（７ｃ）よりも外側に張り出し形成されており、
上面部（７ｂ）の下端と下面部（７ｃ）の上端とをつなぐ指当て部（７ａ）が、内凹み状に形成されており、
上面部（７ｂ）の上下長さ寸法（Ｌ1 ）が、スライドノブ（７）の上下動ストローク寸法（Ｌ2 ）よりも大きく設定されており、
本体ケース（１）の外面上端部（１ａ）が、これより下方の本体ケース（１）の外面握り部（１ｂ）よりも外側に膨出形成されており、
きわ剃り刃ユニット（６）およびスライドノブ（７）の上面部（７ｂ）が、本体ケース（１）の外面上端部（１ａ）に位置し、
スライドノブ（７）の指当て部（７ａ）の少なくとも下方一部を含めて下面部（７ｃ）が、本体ケース（１）の外面握り部（１ｂ）に位置しており、
スライドノブ（７）が押し下げられた状態において、その上面部（７ｂ）の下端が、本体ケース（１）の外面上端部（１ａ）に位置するように設定されていることを特徴とする電気かみそり。
【請求項２】
スライドノブ（７）の上面部（７ｂ）が、下方に行くに従って外側に張り出す下り傾斜面に形成されており、
スライドノブ（７）の指当て部（７ａ）が、凹曲面に形成されている請求項１記載の電気かみそり。
【請求項３】
スライドノブ（７）の下面部（７ｃ）に、滑り止め手段（３９）が設けられている請求項２記載の電気かみそり。
【発明の詳細な説明】
【０００１】
【発明の属する技術分野】
本発明は、きわ剃り刃付きの電気かみそりに係り、きわ剃り刃を出退操作するためのスライドノブの形状に改良を加えたものである。
【０００２】
【従来の技術】
本体ケースの外面の上端部に、固定刃および可動刃を備えたきわ剃り刃ユニットが装着された電気かみそりの従来技術として、
▲１▼  きわ剃り刃ユニットは、上方の基端部が本体ケース側に軸支されていて、先端の刃先部が下向きになって本体ケースの外面に添う不使用姿勢と、刃先部が本体ケースの外側に突出する使用姿勢とにわたって起伏揺動自在であること、
▲２▼  本体ケースの外面には、きわ剃り刃ユニットの下方にスライドノブが上下動自在に装着されていること、
▲３▼  スライドノブを押し上げ操作することによってきわ剃り刃ユニットが不使用姿勢から使用姿勢に切り換わり、スライドノブを押し下げ操作することによってきわ剃り刃ユニットが使用姿勢から不使用姿勢に切り換わるようにすること、
が、例えば実公平３−１６６０３号公報および特公平８−１１１４４号公報などに公知である。
【０００３】
【発明が解決しようとする課題】
但し、上記の従来例は、ユニットケースの上下にきわ剃り刃ユニットとスライドノブとを組み込み、本体ケースに設けた収納凹部にユニットケースこれ自体を上下動自在に装着し、スライドノブに指先を掛けてユニットケースごと上下動操作する。とくにユニットケースを上昇させたとき、きわ剃り刃ユニットの刃先部が本体ケースの上方に突き出るようにして、きわ剃りの容易性を図ったものである。そこでは、スライドノブの外面において指当て部よりも上方に上面部が存在し、きわ剃り刃ユニットの下端の刃先部と、指当て部に当てた指先との間に、上面部の上下長さ寸法に見合う余裕間隔が生じ、この余裕間隔で指先がきわ剃り刃ユニットの刃先部に接触するのを防止するようになっている。
【０００４】
しかし、上記の従来例はスライドノブをこれ単独で上下スライドさせるものではないこともあって、スライドノブの上端部の上下長さ寸法、つまり余裕間隔が小さすぎるため、スライドノブを介してユニットケースを押し上げ操作しようとしたとき、スライドノブに当てた指先が、きわ剃り刃ユニットの下端の刃先部に接触する危険性があり、その危惧がユーザーに不安の念を与えがちである。本体ケースの上下に、きわ剃り刃ユニットとスライドノブとをそれぞれ直接に装着した形式にも、同様の問題があった。
【０００５】
そこで本発明の目的は、本体ケースの外面にきわ剃り刃ユニットを起伏揺動自在に装着するとともに、これの下方にスライドノブを上下動自在に装着した電気かみそりにおいて、とくにスライドノブを指先で押し上げ操作してきわ剃り刃ユニットを突出操作する際にも、指先がきわ剃り刃ユニットの刃先部に触れるおそれのない安全電気かみそりを提供するにある。本発明の他の目的は、ユーザーが本体ケースを握って使用する際にスライドノブが邪魔にならないように配慮した、使い勝手のよい電気かみそりを提供するにある。
【０００６】
【課題を解決するための手段】
上記の目的を達成するために本発明は、図１に示すごとく本体ケース１の外面の上端部にきわ剃り刃ユニット６とスライドノブ７とを上下に装着した電気かみそりにおいて、スライドノブ７の外面が、上下中間部位に設定した指当て部７ａを介して上面部７ｂと下面部７ｃとに定義されており、上面部７ｂの少なくとも下端が、下面部７ｃよりも外側に張り出し形成されており、上面部７ｂの下端と下面部７ｃの上端とをつなぐ指当て部７ａが、内凹み状に形成されており、上面部７ｂの上下長さ寸法Ｌ1 が、スライドノブ７の上下動ストローク寸法Ｌ2 よりも大きく設定されている。本体ケース１の外面上端部１ａが、これより下方の本体ケース１の外面握り部１ｂよりも外側に膨出形成されており、きわ剃り刃ユニット６およびスライドノブ７の上面部７ｂは、本体ケース１の外面上端部１ａに位置し、スライドノブ７の指当て部７ａの少なくとも下方一部を含めて下面部７ｃが、本体ケース１の外面握り部１ｂに位置している。スライドノブ７が押し下げられた状態において、その上面部７ｂの下端が、本体ケース１の外面上端部１ａに位置するように設定されていることを特徴とする。
【０００７】
更に具体的には、スライドノブ７の上面部７ｂが、下方に行くに従って外側に張り出す下り傾斜面に形成されており、スライドノブ７の指当て部７ａが、凹曲面に形成されている。そして、スライドノブ７の下面部７ｂに、滑り止め手段３９が設けられている。
【０００８】
【作用および発明の効果】
本発明のスライドノブ７は、外面の上下中途部に指当て部７ａが凹み形成されているので、ユーザーは、指先の腹側を正しく指当て部７ａに案内して押し当てることにより、スライドノブ７を上下動させてきわ剃り刃ユニット６を起伏揺動操作できる。とくに、スライドノブ７を上方移動させてきわ剃り刃ユニット６を突出させる際には、きわ剃り刃ユニット６の刃先部が下向きになって指先と対峙しているが、スライドノブ７の上面部７ｂは指当て部７ａを境にして下面部７ｂより外側に高く張り出しており、指当て部７ａが凹み形成されていることもあって、下面部７ｃから指当て部７ａにかけて添えた指先が、指当て部７ａを越えて上面部７ｂにまで不用意に滑ることがない。しかも、スライドノブ７の上面部７ｂは、本体ケース１の外面握り部１ｂよりも外側に膨出した外面上端部１ａに位置していて、該上面部７ｂの上下長さ寸法Ｌ1 がスライドノブ７の上下ストローク寸法Ｌ2 よりも大きく設定されているので、高さが段違いになっているだけでなく、指当て部７ａ上の指先ときわ剃り刃ユニット６の刃先部との余裕間隙も十二分に確保されており、指先が上滑りして不用意に該刃先部に接触する危険性はないし、ユーザーに接触に対する危惧の念を抱かせることもないものとなっている。もとより、きわ剃り刃ユニット６をこれが突出した使用姿勢から不使用姿勢に戻すに際しても、スライドノブ７の指当て部７ａに指先を正しく押し当ててそのままスライドノブ７を押し下げればよいので、指先が前記刃先部に接触するおそれやその危惧の念も生じないものである。
【０００９】
本発明では、きわ剃り刃ユニット６を有する本体ケース１の外面上端部１ａが、これより下方の外面握り部１ｂよりも外側に膨出するようにしたうえで、この外面上端部１ａにスライドノブ７の上面部７ｂを位置させた。そしてスライドノブ７を押し下げた状態において、本体ケース１の外面上端部１ａと外面握り部１ｂとの境界部分に、スライドノブ７の上面部７ｂの下端が位置するようにした。
従って、ユーザーが本体ケース１の外面握り部１ｂを手に握って本来のひげ剃りを行う場合にも、手指が外面上端部１ａの下端部分に突っ掛かるので、本体ケース１を滑り落とすことがないし、スライドノブ７の上面部７ｂを握らずとも済むので、握る手に違和感もない。
【００１０】
本体ケース１の外面上端部１ａが下方の外面握り部１ｂよりも外側に膨出形成されていると、外面上端部１ａに位置させたスライドノブ７の上面部７ａと、外面握り部１ｂに位置させたスライドノブ７の下面部７ｃとの高低段差を大きく設定できることにつながる。また、本体ケース１の外面上端部１ａにきわ剃り刃ユニット６が位置しているので、ユーザーが本体ケース１の外面握り部１ｂを手に握ってきわ剃りを行う際に、使用姿勢にあるきわ剃り刃ユニット６の刃先部が前記段差分だけ横外側方に大きく突出することになり、本体ケース１を握る手指の厚み嵩に邪魔されることなく、きわ剃りを行える。
【００１１】
スライドノブ７の上面部７ｂが下方に行くに従って外側に張り出す下り傾斜面に形成されていると、指当て部７ａに案内した指先は上面部７ｂの出っ張った庇状の下端に下方から突き当たる状態になるので、スライドノブ７の押し上げ操作時に指先が上面部７ｂにまで不用意に乗り上がることを更に確実に防止できる。
その際に、指当て部７ａが凹曲面に凹み形成されていると、指先の腹側を指当て部７ａへ滑らかに添えることができる。
【００１２】
スライドノブ７の下面部７ｃに滑り止め手段３９が設けられていると、指当て部７ａの下端と下面部７ｃの上端との間の段差が小さくても、滑り止め手段３９を介してスライドノブ７の押し下げ操作を支障なく行える。
【００１３】
【実施例】
図面は本発明に係る電気かみそりの実施例を示しており、これは水洗い式の防水仕様になっている。図２において本体ケース１は、左右幅が前後幅より大きくて上下面が開口する縦長の角筒状に形成されており、開口下面が底蓋２で塞がれている。本体ケース１の前壁面にはスイッチをオン・オフ操作する切換ボタン３、切換ボタン３をオン・オフの切り換え状に保持するロック具４、発光表示パネル５をそれぞれ備えている。本体ケース１の後壁面には、きわ剃り刃ユニット６とそれ用のスライドノブ７とを備えている。
【００１４】
本体ケース１内にはこれの開口上面側からかみそりユニット８が差し込み装填される。かみそりユニット８は、シャーシユニット９にモータ１０、二次電池１１および回路基板１２などを集約的に配置してあり、シャーシユニット９上に防水シール１３を介してヘッドユニット１４が配置してある。ヘッドユニット１４は、前後一対の回転内刃１６、内刃１６に接する外刃１７、それにモータ１０の動力を回転内刃１６およびきわ剃り刃ユニット６にそれぞれ伝える伝動機構を備えている。
【００１５】
本体ケース１内にかみそりユニット８を差し込み装填したとき、防水シール１３が本体ケース１の内部上方を水密状に保持する。回路基板１２の前面側にはモータ起動用のスイッチ１９が配置されており、前記切換ボタン３で外部からオン・オフされる。回路基板１２の前面側には発光ダイオード２０が配置されており、これからの光が本体ケース１側の中間導光体２１を介して発光表示パネル５に導入案内され、発光表示パネル５はモータ１０の起動状態や電池容量などを発光表示する。
【００１６】
本体ケース１の上端部は、図１、図３、図４に示すごとく外周壁面が前壁側を除いて全体に下方部分より大径に形成されており、とくに本体ケース１の後壁の外面上端部１ａは、これより下方の外面握り部１ｂよりも外側に膨出形成されているとともに、前壁側を含めて左右広幅に形成されている。本体ケース１の後壁において、外面上端部１ａから外面握り部１ｂにかけて後面側が開口する収納凹部２３が形成されており、この収納凹部２３内の上下に前述きわ剃り刃ユニット６とスライドノブ７とがそれぞれ組み込まれる。
【００１７】
収納凹部２３は外面上端部１ａにおいて左右広幅に設定されており、収納凹部２３の上端、すなわち本体ケース１の外面上端部１ａには、ケース枠６ａの内面側に固定刃２５および可動刃２６を備えたきわ剃り刃ユニット６が装着されている。きわ剃り刃ユニット６は、ケース枠６ａの上方の基端部が本体ケース１側に左右の２点で横軸２７を介して回動自在に軸支されており、先端に両刃２５・２６の刃先部が外部に臨出している。きわ剃り刃ユニット６は、先端の刃先部が下向きになって本体ケース１の外面に添うよう収納凹部２３に納まった不使用姿勢と、刃先部が本体ケース１の外側後方へ略直角状に突出する使用姿勢とにわたって横軸２７まわりに起伏揺動自在に支持されている。
【００１８】
先の収納凹部２３には、きわ剃り刃ユニット６を不使用姿勢と使用姿勢との二位置に切り換え操作するプラスチック製のスライドノブ７が、きわ剃り刃ユニット６の下方に位置するよう上下動自在に装着されている。図示例のスライドノブ７は、成形の都合上、図３ないし図６に示すごとくこれの裏面側に別体で成形された節度板２９を備えている。すなわち、スライドノブ７の裏面から突設した係止爪３０が、節度板２９に穿設の係止孔３１へ上下左右の合計４箇所で抜け止め状に嵌入係合しており、これにてスライドノブ７の裏面側に節度板２９を不離一体に備えている。節度板２９はスライドノブ７と一体に成形されていてもよい。
【００１９】
防水性を図りながら収納凹部２３においてスライドノブ７を上下動操作可能とするために、収納凹部２３の上下左右の４箇所には、図３および図６に示すごとく上下方向に長い逆Ｌ字形状のガイド３２を突設し、スライドノブ７の裏面側には、逆Ｌ字形状の被ガイド３３を突設し、これらガイド３２と、これの内面側に回り込む被ガイド３３とで、本体ケース１の収納凹部２３においてスライドノブ７は外方への抜け止めを図られて上下動のみ自在となっている。
【００２０】
節度板２９からは連結腕３５が上向きに延出されており、この連結腕３５の延出上端をきわ剃り刃ユニット６のケース枠６ａの基端部に連係してある。収納凹部２３には、下方の狭幅部分の左右中央部位に節度突起３６を突設してあり、節度板２９の下方に片持ち連出した左右の節度腕３７・３７間に節度突起３６が出入りできる。これにより、とくにスライドノブ７を上方限界にまで押し上げたとき、きわ剃り刃ユニット６を正規の使用姿勢にシフトした状態に維持し、同時にきわ剃り刃ユニット６を不使用姿勢に維持する。
【００２１】
すなわち、スライドノブ７を押し上げ操作すると、前記連結腕３５を介してきわ剃り刃ユニット６が不使用姿勢から使用姿勢になり、スライドノブ７を押し下げると、前記連結腕３５を介してきわ剃りユニット６が先の使用姿勢から不使用姿勢に戻る。因みに、前記切換ボタン３をオン操作すると、前記内刃１６が回転駆動されており、この状態下できわ剃り刃ユニット６を使用姿勢にシフトすると、モータ１０からの動力で図外の伝動機構を介して内刃１６と共にきわ剃り刃ユニット６の可動刃２６を左右方向に往復駆動し、きわ剃り刃ユニット６を不使用姿勢に戻すと自動的に可動刃２６への動力伝達が切れる。
【００２２】
ここで注目すべきは、スライドノブ７の外面形状である。スライドノブ７の外面は、上方寄りの上下中間部位に設定した指当て部７ａを介して上面部７ｂと下面部７ｃとに定義されている。上面部７ｂは下方に行くに従って外側へ張り出す傾斜面に形成されており、上面部７ｂのほぼ全体は、とくに下端が下面部７ｃよりも外側に向かって大きく庇状に張り出している。前記収納凹部２３の形状に合致するよう、上面部７ｂは指当て部７ａおよび下面部７ｃよりも左右広幅に形成してある。指当て部７ａは、上面部７ｂの下端と下面部７ｃの上端とをつなぎ、凹曲面に内凹み形成されている。図４において上面部７ｂの実質的な上下長さ寸法Ｌ1 は、スライドノブ７の上下動ストローク寸法Ｌ2 よりも遙かに大きく設定されている。具体的には、上面部７ｂの実質的な上下長さ寸法Ｌ1 が約１５mmであって、スライドノブ７の上下ストスーク寸法Ｌ2 の約５mmに対して約３倍に設定されている。また、下面部７ｃには、左右方向に走る上下４本の突条からなる滑り止め手段３９が設けられている。
【００２３】
きわ剃り刃ユニット６およびスライドノブ７の上面部７ｂは、本体ケース１の外面上端部１ａに位置する。スライドノブ７の指当て部７ａの下半部を含む下面部７ｃは、本体ケース１の外面握り部１ｂに位置する。スライドノブ７が押し下げられた状態においても、その上面部７ｂの下端は、本体ケース１の外面上端部１ａと外面握り部１ｂとの境界部分、具体的には外面上端部１ａ寄り側に位置するように設定してある。
【００２４】
上記形態の電気かみそりの使用に際し、不使用時のきわ剃り刃ユニット６は、固定刃２５と可動刃２６とからなるきわ剃り刃の刃先部が下向きになって収納凹部２３に納まった状態にある。スライドノブ７の上面部７ｂの下端は、図５に示すごとくきわ剃り刃の刃先部よりも外側に出っ張った状態にあり、上面部７ｂの下端につながる指当て部７ａの上端部分は庇状になっている。従って、きわ剃りに際し、ユーザーは指当て部７ａが凹んでいるので、これを目安にして本体ケース１の外面握り部１ｂを握る片手の指先（親指）の腹を正しく指当て部７ａに押し当てた状態でスライドノブ７の全体を上方に押し上げ操作することになる。その際に、指先は指当て部７ａの前記庇状部分に突き当たり、上面部７ｂの上にまで不用意に滑ることはなく、従って前記刃先部に接触することはない。刃先部と上面部７ｂの下端との余裕間隙は、上面部７ｂの上下長さ寸法Ｌ1 にほぼ相当していて十二分に確保されているとともに、刃先部および上面部７ｂが、本体ケース１の外面握り部１ｂよりも膨出形成された外面上端部１ａの高位置にあるので、ユーザーは指先が刃先部に接触する危惧の念すら覚えることがない。その結果、きわ剃り刃ユニット６を不使用姿勢から刃先部が外側に突出する使用姿勢へと安全に切り換え操作できる。
【００２５】
きわ剃り時に、きわ剃り刃ユニット６は本体ケース１の外側に膨出した外面上端部１ａに位置しているので、本体ケース１の外面握り部１ｂを握るユーザーの手指の厚みを考慮しても、きわ剃り刃ユニット６の刃先部が指よりも更に外側へ突出することになって認め易く、きわ剃りが容易に行える。外面握り部１ｂを握るユーザーの手指は外面上端部１ａの下端部分を受け止め、不用意に電気かみそりを下方に滑り落とすこともない。
【００２６】
きわ剃り後には、再び指先をスライドノブ７の指当て部７ａおよび下面部７ｃにわたって当てることにより、スライドノブ７を押し下げることになる。このとき、指当て部７ａの下端と下面部７ｃとの境界部分は大きな段差がなく、指先が空滑り勝ちになろうとするが、滑り止め手段３９に助けられてスライドノブ７を円滑に押し下げることができる。これできわ剃り刃ユニット６は、先の使用姿勢から元の不使用姿勢に復帰する。
【００２７】
本発明において、本体ケース１における外面上端部１ａと外面握り部１ｂとの境界部分、スライドノブ７における指当て部７ａと上面部７ｂとの境界部分、および指当て部７ａと下面部７ｃとの境界部分は、それぞれ判然としたものである必要はなく、曲面を以て連続している場合を含む。例えば、本体ケース１における外面上端部１ａと外面握り部１ｂとの境界部分とは、先の実施例を図７の原理で説明すると、外面上端部１ａの下端よりも上方の近傍部分を含んでいる。この境界部分に関しては図８又は図９に示す形態も含むものである。図８の例では、本体ケース１の後壁面において外面上端部１ａと外面握り部１ｂとが水平状の段付面になっていて、上面部７ｂの下端が外面上端部１ａの下端、すなわち外面握り部１ｂの上端に一致したものとなっているが、本発明での境界部分とは該段付面を含む上下近傍部分を意味する。。図９の例では、上面部７ｂの下端が外面上端部１ａよりも下方側の近傍に位置しており、この例でみるように本発明の境界部分とは外面握り部１ｂの上端部分をも含むものである。図７ないし図９においては、スライドノブ７がいずれも押し下げられた状態下にあることは言うまでもない。また、きわ剃り刃ユニット６およびスライドノブ７は、本体ケース１の左右の横側面の一方に設けられていてもよい。
【図面の簡単な説明】
【図１】斜視図
【図２】かみそりユニットを分離した状態での本体ケースの縦断側面図
【図３】背面図
【図４】側面図
【図５】要部の拡大縦断側面図
【図６】図３におけるＡ−Ａ線断面図
【図７】本発明の内容を原理的に説明する概略側面図
【図８】本発明の別実施例を原理的に説明する概略側面図
【図９】本発明の更に異なる別実施例を原理的に説明する概略側面図
【符号の説明】
１  本体ケース
１ａ  本体ケースの外面上端部
１ｂ  本体ケースの外面握り部
６  きわ剃り刃ユニット
７  スライドノブ
７ａ  スライドノブの指当て部
７ｂ  スライドノブの上面部
７ｃ  スライドノブの下面部
２５  固定刃
２６  可動刃
３９  滑り止め手段
Ｌ1   スライドノブの上面部の上下長さ寸法
Ｌ2   スライドノブの上下動ストローク寸法
【図１】
0004569983.tif 000002
【図２】
0004569983.tif 000003
【図３】
0004569983.tif 000004
【図４】
0004569983.tif 000005
【図５】
0004569983.tif 000006
【図６】
0004569983.tif 000007
【図７】
0004569983.tif 000008
【図８】
0004569983.tif 000009
【図９】
0004569983.tif 000010